(57)【要約】【課題】  従来の照明は、人工的で無機質な照明がほとんどであり、一般的に視覚だけで感じるものである。それに対して、自然に浮かび上がるような照明を提供するとともに、触れることができる（触覚）、味わうことができる（味覚）、といった視覚以外の五感でも感じることができる照明を提供する。【解決手段】  光源（１）の周囲に繊維状の拡散体（２）を設けることで、光を柔らかく拡散させる。これにより、どこからも光源が見えず、自然で幻想的な照明を実現させる。また、繊維状の物質は熱の伝導率が低いため、媒体に手で触れる（触覚で感じる）ことも可能となる。さらに、繊維状の拡散体（２）として、砂糖を熱して溶かし繊維状に形成した綿菓子（綿飴）を使用することで、味わうこともできる（味覚で感じる）照明（＝光る綿菓子）を提供できる。【選択図】図１
2016213164.tif 000002
【特許請求の範囲】
【請求項１】
図１のように、光源（１）の周囲に繊維状の拡散体（２）を設けた照明。
拡散体（２）に関しては、砂糖を熱して溶かし繊維状に形成した綿菓子（綿飴）を使用すること（光る綿菓子）も含む。
【請求項２】
光源（１）として、点光源に近い光源を使用し、媒体全体の中心に光源（１）を配置した。請求項１の照明。
【請求項３】
光源（１）の色を変化させることで、拡散体（２）の色が変化する、請求項１の照明。
【請求項４】
電源（３）として、直流電源を使用した、請求項１の照明。
【請求項５】
電気系統の筐体に関して、先端部（４）に電気系統を集約し、突出部（５）と分離できる構造をした、請求項４の照明。
【請求項６】
突出部（５）に透明材をつかった、請求項５の照明。
【請求項７】
先端部（４）に関して、防水構造をとった、請求項５の照明。
【請求項８】
媒体（２）の内部に、文字や記号やキャラクターなどの光を遮断する不透明体（６）を内蔵することで、それが影となり媒体状に浮かび上がる、請求項１の照明。
【発明の詳細な説明】
【技術分野】
【０００１】  本発明は、繊維状の拡散体に光を拡散させる照明に関するものである。繊維状の拡散体としては、綿やポリエルテルなどの繊維物質の他、砂糖を熱して溶かし繊維状に形成した綿菓子（綿飴）を含むものする。
【背景技術】
【０００２】  従来の照明は、光源に対して、照らしたい方向や光の拡散を調整するため、またデザイン性や雰囲気の演出のために、シェードやフィルターなどを周囲に構成しているが、いずれも板状および紙状の物質で構成されおり、人工的で無機質な照明がほとんどである。また、照明は一般的に視覚で感じるものであるが、長年、他の五感で感じるものは作り出せていない。
【発明の概要】
【発明が解決しようとする課題】
【０００３】  本発明では、光を拡散させる媒体として、繊維状の物質を使用することで、自然に近い柔らかい光の演出をすると同時に、触れられる（触覚で感じる）照明を作ることを目的とする。また、その繊維状の物質として、砂糖を熱して溶かし繊維状に形成した綿菓子（綿飴）を使用することで、味わうことができる（味覚で感じる）照明を実現させ、お祭りやイベント等で光の楽しむエンターテイメントとしての応用を提案することを目的とする。
【課題を解決するための手段】
【０００４】  図１のように、光源（１）の周囲に繊維状の拡散体（２）を設けることで、光を柔らかく拡散させる。これにより、どこからも光源が見えず、自然で幻想的な照明を実現させる。また、繊維状の物質は熱の伝導率が低いため、媒体に手で触れる（触覚で感じる）ことも可能となる。【０００５】  さらに、繊維状の拡散体（２）として、砂糖を熱して溶かし繊維状に形成した綿菓子（綿飴）を使用することで、味わうこともできる（味覚で感じる）照明（＝光る綿菓子）を提供できる。【０００６】  光源（１）としては、より点光源に近い光源を使用し、光源を拡散体（２）全体の中央に設置することで、媒体全体に均一に柔らかく光を拡散させることができる。【０００７】  光源（１）の色を変えるとこで、白い拡散体（２）でも色をつけることができ、適度なタイミングで光の色を切り替えることで、さらに幻想的な雰囲気を演出することができる。【０００８】  電源（３）としては、一般的な照明に使われる交流電源の他に、電池等による直流電源も含む提案とする。直流電源型に関しては、電源コンセントがない場所でも使用可能であり、持ち運びも可能となる。また。外部への配線もなくなるため、より自然な外観で光の演出が可能となる。【０００９】  直流電源を使用する場合、筐体の先端部（４）に電源や光源など電位系統を集約することで、先端部が独立した照明物となるので、別用途にも流用できる可能性を作り出す。別用途があることで先端部の生産コストを下げることができると同時に、購入者にとっても様々な用途に使用できる価値を提供することができる。また、突出部（５）は、電気系統を含まないものになるため、生産がしやすくなるので、この部分で印字などのカスタマイズ対応がしやすくなる。【００１０】  また、電気系統を筐体の先端部（４）に集約することで、拡散体から突出する突出部（５）に透明部材を使用することで、浮かんだような照明を演出できる。【００１１】その先端部を防水構造にすることで、先端部の水洗いなども可能となり、とくに光る綿菓子の場合は衛生面での管理がしやすくなる。また水を使った光の演出など、その用途の幅が広がる。【００１２】さらなる応用として、拡散体（２）の内側に、文字や記号やキャラクターなどの形状の不透体（６）を構成することで、拡散体（２）の外側にそのシルエットを浮かびあがらせることができ。さらに新しい世界を演出できる。
【発明の効果】
【００１３】  照明の光源を繊維状の物質で包み込むことで、光源を隠して自然で幻想的な照明を実現させると同時に、照明に触れることができたり（触覚）、媒体として綿菓子を使用することで、味わうこともでき（味覚）、従来の照明とは全く違う価値を提供することができる。【００１４】  請求項２の発明は、光をより均一に美しく光らせることを可能にする。請求項８においても影を鮮明に浮かび上がらせる効果がある。【００１５】  請求項３の発明は、拡散体（２）が白色の場合でも、光で色を付けることが可能となり、それを変化させることで幻想的な演出効果を作り出すことができる。【００１６】  請求項４の発明は、電池等による直流電源にすることで、電源コンセントがない場所でも使用可能であり、持ち運びも可能となる。また、外部との配線もなくなるので、より自然な外観での光の演出が可能となる。【００１７】  請求請５の発明により、先端部（５）に電気系統を集約させることで、先端部が独立した照明となるので、別用途にも流用できる可能性を作り出す。別用途があることで先端部の生産コストを下げることができると同時に、購入者にとっても様々な用途に使用できる価値を提供することができる。また、突出部（６）は、電気系統を含まない単純な部品になるため、生産がしやすくなるので、この部分で印字などのカスタマイズ対応がしやすくなる。【００１８】  請求請６の発明により、媒体（２）から突出する突出部（６）を透明にすることで。周囲から光る媒体（２）が浮かび上がるように見える効果があり、より幻想的な演出を可能とする。【００１９】  請求請７の発明により、電気系統が集約された先端部（５）を防水構造にすることで、先端部の水洗いなどが可能となり、衛生面での管理がしやすくなる。また水に浮かべるなどの用途の幅が広がる。【００２０】  請求請８の発明により、点灯したときに拡散体（２）に文字や記号やキャラクターなどのシルエットを浮かび上がらせることができ、さらに新しい世界を演出できる。
【図面の簡単な説明】
【００２１】
【図１】本発明の構造断面図である。吊り下げの照明のイメージでもある。
【図２】図１における外観図である。
【図３】直流電源を使って外部に電気系統を出していない仕様の構造断面図である。光る綿菓子のイメージでもある。
【図４】図３における外観図である。
【図５】電源系統が内蔵された筐体イメージである。
【図６】図５において、先端部と突出部の分離図である。
【図７】突出部に透明部材を使ったイメージ図である。
【図８】拡散体内部に不透明体を内蔵した構造断面図である。
【図９】図８における外観図である。
【発明を実施するための形態】
【００２４】  以下、本発明を実施するための最良の形態について説明する。
図１のように、光源（１）の周囲に繊維状の拡散体（２）を設けることで、光を柔らかく拡散させる。これにより、どこからも光源が見えず、自然で幻想的な照明を実現させる。また、繊維状の物質は熱の伝導率が低いため、媒体に手で触れる（触覚で感じる）ことも可能となる。
【００２５】以上が本発明の基本構造であるが、以下のような付加発明も含めて実施するのが最良である。
【００２６】  光源（１）としては、より点光源に近い光源を使用し、光源を拡散体（２）全体の中央に設置することで、媒体全体に均一に柔らかく光を拡散させることができる。
【００２７】  光源（１）の色を変えるとこで、白い拡散体（２）でも色をつけることができ、適度なタイミングで光の色を切り替えることで、さらに幻想的な雰囲気を演出することができる。
【００２８】  電源（３）としては、一般的な照明に使われる交流電源の他に、電池等による直流電源も含む提案とする。直流電源型に関しては、電源コンセントがない場所でも使用可能であり、持ち運びも可能となる。また。外部への配線もなくなるため、より自然な外観で光の演出が可能となる。
【００２９】  直流電源を使用する場合、筐体の先端部（４）に電源や光源など電位系統を集約することで、先端部が独立した照明物となるので、別用途にも流用できる可能性を作り出す。別用途があることで先端部の生産コストを下げることができると同時に、購入者にとっても様々な用途に使用できる価値を提供することができる。また、突出部（５）は、電気系統を含まないものになるため、生産がしやすくなるので、この部分で印字などのカスタマイズ対応がしやすくなる。
【００３０】  また、電気系統を筐体の先端部（４）に集約することで、拡散体から突出する突出部（５）に透明部材を使用することで、浮かんだような照明を演出できる。
【００３１】その先端部を防水構造にすることで、先端部の水洗いなども可能となり、とくに光る綿菓子の場合は衛生面での管理がしやすくなる。また水を使った光の演出など、その用途の幅が広がる。
【００３２】さらなる応用として、拡散体（２）の内側に、文字や記号やキャラクターなどの形状の不透体（６）を構成することで、拡散体（２）の外側にそのシルエットを浮かびあがらせることができ。さらに新しい世界を演出できる。
【実施例ａ】
【００３３】図１のような構造で、天井の交流電源に取り付けると、吊り下げ型の照明として、雲のように浮かんだような照明を提供できる。
【実施例ｂ】
【００３４】図３のような構造で。繊維状の拡散体（２）として、砂糖を熱して溶かし繊維状に形成した綿菓子（綿飴）を使用することで、味わうこともできる（味覚で感じる）照明（＝光る綿菓子）を提供できる。
【符号の説明】
【００３５】１  光源
２  （繊維状の）拡散体
３  電源
４  先端部（電気系統を内蔵する筐体）
５  突出部
６  不透明体
【図１】
2016213164.tif 000003
【図２】
2016213164.tif 000004
【図３】
2016213164.tif 000005
【図４】
2016213164.tif 000006
【図５】
2016213164.tif 000007
【図６】
2016213164.tif 000008
【図７】
2016213164.tif 000009
【図８】
2016213164.tif 000010
【図９】
2016213164.tif 000011